(57)【特許請求の範囲】
【請求項１】
レール上を走行する走行体(1)に取り付けられて前記走行体(1)の車輪(2)のフランジ部(4)に固形潤滑剤(5)を塗布する固形潤滑剤塗布装置において、前記走行体(1)に設けられた保持盤(6)の両側にばね部材(10)を介して互いに異なる方向へ回動するように付勢された一対の回動アーム(8,9)と、前記各回動アーム(8,9)に嵌め合いの状態で作動自在に設けられ断面コ字形をなす長手溝状の保持部材(11、12)と、前記各保持部材(11,12)の先端に曲折して形成された舌片(22)と、前記各保持部材(11,12)の背部(11a,12a)に形成されＵ型をなす係止部(40)と、前記各保持部材(11,12)に形成され前記各回動アーム(8,9)のアーム背部(8a,9a)に位置する切欠部(41)と、
前記各切欠部(41)内にその一部を位置させ複数のボルト(52)により前記アーム背部(8a,9a)に固定されたレバー体(51)と、
前記各レバー体(51)の軸支部(53)に回動自在に設けられたレバー(50)と、
前記各レバー(50)の係合部(54)と前記係止部(40)との間に設けられた四角枠状の連結体(60)と、を備え、
前記各連結体(60)は前記係合部(54)及び係止部(40)に対して作動自在に結合され、前記レバー(50)の回動によって前記各保持部材(11,12)は前記連結体(60)を介して前記各回動アーム(8,9)の長手方向(20)に沿って往復移動し、前記各回動アーム(8,9)の先端面(21)と舌片(22)との間の前記固形潤滑剤(5)の基部を挟持又は挟持解除するための間隔が変えられ、
前記先端面(21)の面方向は、前記各回動アーム(8,9)の前記レバー体(51)が位置する前記アーム背部(8a,9a)から前記アーム背部(8a,9a)に対向するアーム前部(8b,9b)へ向けて下り傾斜となると共に前記長手方向(20)に対して非直交となるように形成されていることを特徴とする固形潤滑剤塗布装置。
【発明の詳細な説明】
【０００１】
【発明の属する技術分野】
本発明は、固形潤滑剤塗布装置に関し、特に、各回動アームに直接設けた保持部材と回動アームの先端面とによって固形潤滑剤を挟持し、構成を簡素化するための新規な改良に関する。
【０００２】
【従来の技術】
従来、用いられていたこの種の固形潤滑剤塗布装置としては、一対の回動アームの先端に形成された保持部に切欠状の段部を形成し、この保持部に設けられた板バネの先端部の舌片と前記段部とによって固形潤滑剤の基部を挟持するようにしていた。
【０００３】
【発明が解決しようとする課題】
従来の固形潤滑剤塗布装置は、以上のように構成されていたため、次のような課題が存在していた。
すなわち、回動アームの先端部に形成された保持部の段部と、この保持部に設けられた板バネの先端部とによって固形潤滑剤を挟持していたため、保持部及び段部の形成コストがかかると共に、構造が複雑化していた。
【０００４】
本発明は、以上のような課題を解決するためになされたもので、特に、各回動アームに直接設けた保持部材と回動アームの先端面とによって固形潤滑剤を挟持し、構成を簡素化した固形潤滑剤塗布装置を提供することを目的とする。
【０００５】
【課題を解決するための手段】
本発明による固形潤滑剤塗布装置は、レール上を走行する走行体に取り付けられて前記走行体の車輪のフランジ部に固形潤滑剤を塗布する固形潤滑剤塗布装置において、前記走行体に設けられた保持盤の両側にばね部材を介して互いに異なる方向へ回動するように付勢された一対の回動アームと、前記各回動アームに嵌め合いの状態で作動自在に設けられ断面コ字形をなす長手溝状の保持部材と、前記各保持部材の先端に曲折して形成された舌片と、前記各保持部材の背部に形成されＵ型をなす係止部と、前記各保持部材に形成され前記各回動アームのアーム背部に位置する切欠部と、前記各切欠部内にその一部を位置させ複数のボルトにより前記アーム背部に固定されたレバー体と、前記各レバー体の軸支部(53)に回動自在に設けられたレバーと、前記各レバーの係合部と前記係止部との間に設けられた四角枠状の連結体と、を備え、前記各連結体は前記係合部及び係止部に対して作動自在に結合され、前記レバーの回動によって前記各保持部材は前記連結体を介して前記各回動アームの長手方向に沿って往復移動し、前記各回動アームの先端面と舌片との間の前記固形潤滑剤の基部を挟持又は挟持解除するための間隔が変えられ、前記先端面の面方向は、前記各回動アームの前記レバー体が位置する前記アーム背部から前記アーム背部に対向するアーム前部へ向けて下り傾斜となると共に前記長手方向に対して非直交となるように形成されている構成である。
【０００６】
【発明の実施の形態】
以下、図面と共に本発明による固形潤滑剤塗布装置の好適な実施の形態について説明する。
図１において符号１で示されるものは周知の走行体であり、この走行体１の下部に設けられた車輪２は周知のレール（図示せず）上を走行するように構成され、この車輪２のフランジ部４には固形潤滑剤５を塗布するように構成されている。
【０００７】
前記走行体１の下部に設けられた保持盤６の両側には、軸支部７を介して一対の回動アーム８，９が互いに異なる方向にトーションばね等のばね部材１０により一方向に付勢されるように構成されている。
【０００８】
前記各回動アーム８，９には、図２及び図３並びに図５から図８で示すように、断面コ字形で長手溝状の保持部材１１，１２が嵌め合いの状態でこの回動アーム８，９の長手方向に沿って往復移動自在に設けられ、この保持部材１１，１２の背部１１ａ，１２ａ側にはＵ型に形成された係止部４０が設けられている。また、この背部１１ａ，１２ａには切欠部４１及び曲折部４２が形成されている。
【０００９】
前記各回動アーム８，９の先端部には平面のみからなりその面方向が各回動アーム８，９の長手方向２０に対して非直交となる先端面２１が形成されている。
前記各保持部材１１，１２の先端には、曲折して形成された舌片２２が設けられており、この先端面２１と舌片２２との間には前記各固形潤滑剤５の基部が挟持されて保持されている。
【００１０】
前記各回動アーム８，９のアーム背部８ａ，９ａには、前記各保持部材１１，１２の切欠部４１が位置していると共に、この切欠部４１内にその一部を位置させると共にレバー５０を有するレバー体５１がボルト５２によって固定されている。
このレバー体５１の軸支部５３には前記レバー５０が矢印Ａの方向に沿って回動でき、このレバー５０の係合部５４と前記係止部４０との間には四角枠状の連結体６０が設けられている。
【００１１】
前記係合部５４及び係止部４０に対して前記連結体６０は作動自在に結合され、レバー５０の回動によって各保持部材１１，１２は前記連結体６０を介して各回動アーム８，９の長手方向２０に沿って往復移動し、前記先端面２１と舌片２２との間の間隔が変えられるように構成されている。
すなわち、前記レバー５０は、図２の状態では上方へ回動された状態で、回動アーム８,９の各保持部材１１，１２が持ち上げられて、舌片２２が固形潤滑剤５の基部を挟持している使用状態となり、このレバー５０を図２の状態から下方へ回動させると、連結体６０を介して回動アーム１１、１２と共に舌片２２が降下し、先端面２１と舌片２２との間の間隔があいて固形潤滑剤５の挟持が解除される。
尚、前記先端面２１の面方向は、図２等に示されるように、各回動アーム８，９のレバー体５１が位置する前記アーム背部８ａ，９ａから前記アーム背部８ａ，９ａに対向するアーム前部８ｂ，９ｂへ向けて下り傾斜となるように形成されている。
【００１２】
【発明の効果】
本発明による固形潤滑剤塗布装置は、以上のように構成されているため、次のような効果を得ることができる。
すなわち、各回動アームに設けた保持部材をレバーの回動によって往復移動させ、固形潤滑剤の挟持及び解除を行うことができ、その構造を従来よりも大幅に簡略化させ、メンテナンスの容易化及びコストダウンを達成することができる。
【図面の簡単な説明】
【図１】  本発明による固形潤滑剤塗布装置を示す正面構成図である。
【図２】  図１の一方の保持部材を示す正面図である。
【図３】  図２の右側面図である。
【図４】  図２の左側面図である。
【図５】  図２の保持部材を示す左側面図である。
【図６】  図５の右側面図である。
【図７】  図５の背面図である。
【図８】  図６の要部の平面図である。
【図９】  図２の回動アームの右側面図である。
【図１０】  図９の右側面図である。
【図１１】  図９の背面図である。
【符号の説明】
１    走行体
２    車輪
４    フランジ部
５    固形潤滑剤
８、９    回動アーム
８ａ，９ａ    アーム背部
８ｂ，９ｂ    アーム前部
１０    ばね部材
１１、１２    保持部材
１１ａ，１２ａ    背部
２０    長手方向
２１    先端面
２２    舌片
４０    係止部
４１    切欠部
５０    レバー
５１    レバー体
５２    ボルト
５４    係合部
６０    連結体
５３    軸支部
【図１】
0004249923.tif 000002
【図２】
0004249923.tif 000003
【図３】
0004249923.tif 000004
【図４】
0004249923.tif 000005
【図５】
0004249923.tif 000006
【図６】
0004249923.tif 000007
【図７】
0004249923.tif 000008
【図８】
0004249923.tif 000009
【図９】
0004249923.tif 000010
【図１０】
0004249923.tif 000011
【図１１】
0004249923.tif 000012